(57)【要約】      （修正有）【課題】１つの描画部で同時に片手５本の指の爪にネイルデザインを描画可能な描画装置を提供する。【解決手段】描画装置は、描画対象をなす複数の爪１１を同じ向きに向けるために手で握るグリップ部３０と、手の親指１２ａの爪１１側の親指の爪１１以外の部分を押える第１押え部４０を備える。また、描画装置は、手の親指１２ａ以外の複数の指１２ｂ〜１２ｅの各々の爪１１側の各々の爪１１以外の部分を押える第２押え部５０を備える。【選択図】図５
2017113339.tif 000002
【特許請求の範囲】
【請求項１】
描画対象をなす複数の爪を同じ向きに向けるために手で握るグリップ部と、
前記手の親指の爪側の前記親指の爪以外の部分を押える第１押え部と、
前記手の前記親指以外の複数の指の各々の爪側の前記各々の爪以外の部分を押える第２押え部と、
を備えることを特徴とする描画装置。
【請求項２】
前記第１押え部は、前記手の親指のＤＩＰ関節を押え、
前記第２押え部は、前記手の前記親指以外の複数の指のＤＩＰ関節を押える、ことを特徴とする請求項１に記載の描画装置。
【請求項３】
手を挿入する手挿入部を備え、
前記手挿入部内に配置された前記グリップ部は、
前記手挿入部の挿入口側に位置し、前記グリップ部の一方側に設けられる前記親指を配置する第１指配置部と、
前記手挿入部の前記挿入口の奥側に位置し、前記グリップ部の前記一方側に設けられる前記親指以外の前記複数の指を配置する第２指配置部と、を備え、
前記第１指配置部は、右手の親指と左手の親指に対応して前記親指を配置する部分が上面視でクロスする親指ガイド構造を有し、
前記第２指配置部は、それぞれの前記指の間を仕切る仕切り部と指の先端を規制する先端位置規制部とを備えることを特徴とする請求項１又は請求項２に記載の描画装置。
【請求項４】
前記第１指配置部には、前記右手の前記親指が配置される位置と、前記左手の前記親指が配置される位置とに設けられるスイッチを備え、
前記第２指配置部は、前記親指以外の前記複数の指がそれぞれ配置される位置に設けられるスイッチを備えることを特徴とする請求項３に記載の描画装置。
【請求項５】
前記指で前記スイッチが押圧されることで、前記指が配置されていることを検知することを特徴とする請求項４に記載の描画装置。
【請求項６】
前記指で前記スイッチを押圧することで、前記爪にデザインを施す前記指が選択されることを特徴とする請求項４に記載の描画装置。
【請求項７】
前記第１指配置部と前記第２指配置部が固定であることを特徴とする請求項３から請求項６のいずれか１項に記載の描画装置。
【請求項８】
前記第１指配置部と前記第２指配置部との間がスライド可能であることを特徴とする請求項３から請求項６のいずれか１項に記載の描画装置。
【請求項９】
前記第２指配置部は、各前記指に対応して前記指の間を仕切る前記仕切り部と前記指の先端を規制する前記先端位置規制部が設けられており、
前記第２指配置部は、各前記指に対応する前記仕切り部及び前記先端位置規制部が一体の状態で、それぞれ前記指の並ぶ方向に個別にスライド可能であり、
前記第１指配置部は固定されていることを特徴とする請求項３から請求項６のいずれか１項に記載の描画装置。
【請求項１０】
前記第１指配置部及び前記第２指配置部は、配置される各前記指を弾性的に支持するクッションを備えることを特徴とする請求項３から請求項９のいずれか１項に記載の描画装置。
【請求項１１】
前記第１押え部による押圧力を検知する第１圧力センサと、
前記第２押え部による押圧力を検知する第２圧力センサと、を備えることを特徴とする請求項１から請求項１０のいずれか１項に記載の描画装置。
【発明の詳細な説明】
【技術分野】
【０００１】
本発明は、描画装置に関する。
【背景技術】
【０００２】
従来、指の爪にネイルデザインを描画する描画装置が提案されている。例えば、特許文献１には、爪が上方を向くように指を挿入する指挿入部を有し、該指挿入部に挿入された指の爪にインクジェット印刷技術を用いてネイルデザインを描画する描画装置が記載されている。
【０００３】
しかしながら、従来の描画装置では、例えば、片手５本の指の爪にネイルデザインを描画する場合、指挿入部に指を１本ずつ順番に挿入してネイルデザインを描画する必要があるので、すべての指の爪にネイルデザインを描画し終わるまでに長い時間がかかるという問題があった。
【０００４】
そこで、複数の指の爪に同時にネイルデザインを描画することが考えられる。例えば、片手を挿入可能な手挿入部を有し、該手挿入部に挿入された片手５本の指の爪に同時にネイルデザインを描画可能な描画装置であれば、片手５本の指の爪に対するネイルデザインの描画時間を大幅に短縮することができる。
【先行技術文献】
【特許文献】
【０００５】
【特許文献１】特開２０００―１９４８３８号公報
【発明の概要】
【発明が解決しようとする課題】
【０００６】
しかしながら、爪が上方を向くように手を開いた状態で手挿入部に片手を挿入したとしても、親指の爪だけが離れた位置に配置されてしまうだけでなく、親指の爪が必ずしも上を向いた状態とならないため、１つの描画部で同時に片手５本の指の爪にネイルデザインを描画することは困難であった。
【０００７】
本発明は、上記のような事情に鑑みてなされたものであり、１つの描画部で同時に片手５本の指の爪にネイルデザインを描画可能な描画装置を提供することを目的とする。
【課題を解決するための手段】
【０００８】
本発明は、以下の構成によって把握される。
本発明の描画装置は、描画対象をなす複数の爪を同じ向きに向けるために手で握るグリップ部と、前記手の親指の爪側の前記親指の爪以外の部分を押える第１押え部と、前記手の前記親指以外の複数の指の各々の爪側の前記各々の爪以外の部分を押える第２押え部と、を備えることを特徴とする。
【発明の効果】
【０００９】
本発明によれば、１つの描画部で同時に片手５本の指の爪にネイルデザインを描画可能な描画装置を提供することができる。
【図面の簡単な説明】
【００１０】
【図１】本発明の実施形態に係る描画装置の外観を示す斜視図である。
【図２】実施形態に係るグリップ部、第１押え部及び第２押え部を示す平面図である。
【図３】実施形態に係るグリップ部に指を配置した状態を示す図であり、（ａ）は左手の指を配置したグリップ部の平面図、（ｂ）は右手の指を配置したグリップ部の平面図である。
【図４】実施形態に係るグリップ部、第１押え部及び第２押え部を示す図であり、（ａ）はグリップ部、第１押え部及び第２押え部の側面図、（ｂ）はグリップ部、第１押え部及び第２押え部の背面図である。
【図５】実施形態に係る第１押え部及び第２押え部でＤＩＰ関節を押えた状態を示す側面図である。
【図６】変形例１に係るグリップ部を示す平面図である。
【図７】変形例２に係るグリップ部を示す図であり、（ａ）はグリップ部の平面図、（ｂ）はグリップ部のＡ−Ａ断面図である。
【発明を実施するための形態】
【００１１】
以下、添付図面を参照して、本発明を実施するための形態（以下、「実施形態」と称する）について詳細に説明する。なお、実施形態の説明の全体を通して同じ要素には同じ番号を付している。
【００１２】
（実施形態の全体構成）
描画装置の全体構成を図１に基づいて説明する。図１は描画装置の外観を概念的に示す図である。
【００１３】
図１に示すように、描画装置１０は、手の指１２ａ〜１２ｅの爪１１（図３参照）にネイルデザインを施す装置である。描画装置１０は、ケース本体２０と、ケース本体２０の上面に設けられる操作部２１を兼ね備えたタッチパネル式の表示部２２を備える。ケース本体２０には、その前面に開口する手挿入部２３が設けられる。また、ケース本体２０の内部には、描画ヘッド部（ペンプロッター部）２４及びインクジェット部２５からなる描画部２６と、爪１１に塗布された塗料を温風により乾燥させるドライヤー２７と、爪１１の位置や形状を認識するためのカメラ２８と、が設けられる。
【００１４】
なお、描画ヘッド部２４、インクジェット部２５、ドライヤー２７及びカメラ２８は、各種の移動手段によって前後方向や左右方向、また必要に応じて上下方向（それぞれ、図１において破線の矢印で示す方向）に移動可能である。
【００１５】
（グリップ部）
次に、グリップ部３０の構成を図２及び図３に基づいて説明する。
【００１６】
図２及び図３に示すように、ケース本体２０の内部には、手挿入部２３から挿入した手で握るグリップ部３０が配置されている。本実施形態のグリップ部３０は、手の挿入方向に対して交差するように左右方向に沿って配置され、手のひらが上方を向く状態で手挿入部２３から挿入した手で下方から握られる。このとき、グリップ部３０を握った手の親指１２ａの爪１１は、グリップ部３０の上面において、手挿入部２３の挿入口２３ａ側に位置し、また、グリップ部３０を握った手の親指１２ａ以外の複数の指（例えば、４本の指１２ｂ〜１２ｅ参照）の爪１１は、グリップ部３０の上面において、手挿入部２３の挿入口２３ａの奥側に位置する。
【００１７】
グリップ部３０の形状は、上記のように手で握ったとき、５本の指１２ａ〜１２ｅの爪１１がすべて上方を向き、かつ親指１２ａの爪１１が親指１２ａ以外の４本の指１２ｂ〜１２ｅの爪１１の近くに配置されるように設定される。例えば、ギターのネック部のような形状を有するグリップ部３０であれば、手で握ったとき、５本の指１２ａ〜１２ｅの爪１１をすべて上方に向かせ、かつ親指１２ａの爪１１を親指１２ａ以外の４本の指１２ｂ〜１２ｅの爪１１の近くに配置することができる。
【００１８】
グリップ部３０の上面には、上記のように手で握ったとき、親指１２ａを配置する第１指配置部３１と、親指１２ａ以外の複数の指（例えば、４本の指１２ｂ〜１２ｅ参照）を配置する第２指配置部３２と、が設けられる。第１指配置部３１及び第２指配置部３２には、各指１２ａ〜１２ｅの先端や側部に当接して各指１２ａ〜１２ｅの配置領域を規制するガイドリブ３１ａ、３２ａが立設されている。なお、ガイドリブ３２ａは、配置領域に配置された指１２ｂ〜１２ｅの爪１１よりも上方に突出しないように高さ（例えば、１ｃｍ）が設定される。
【００１９】
第１指配置部３１には、グリップ部３０が右手で握られた際に親指１２ａを配置する領域と、グリップ部３０が左手で握られた際に親指１２ａを配置する領域が上面視でクロスするように設けられており、第１指配置部３１のガイドリブ３１ａは、このクロスする領域を囲むようにグリップ部３０の上面に立設され、親指ガイド構造を構成している。
【００２０】
第２指配置部３２には、親指１２ａ以外の４本の指１２ｂ〜１２ｅを個別に配置する４つの領域が設けられており、第２指配置部３２のガイドリブ３２ａは、４つの領域を仕切るようにグリップ部３０の上面に立設される。具体的には、それぞれの指１２ｂ〜１２ｅの間を仕切る３つの仕切り部３２ｂと、それぞれの指１２ｂ〜１２ｅの先端を規制する４つの先端位置規制部３２ｃとを有するガイドリブ３２ａが第２指配置部３２に設けられている。
【００２１】
第１指配置部３１及び第２指配置部３２には、各配置領域に指１２ａ〜１２ｅを配置することで切換わるスイッチＳＷ１〜ＳＷ６が設けられている。スイッチＳＷ１〜ＳＷ６としては、押し釦スイッチ、静電容量スイッチ等の任意のスイッチ機器を用いることができる。
【００２２】
第１指配置部３１は、右手の親指１２ａが配置される領域に設けられるスイッチＳＷ１と、左手の親指１２ａが配置される領域に設けられるスイッチＳＷ２とを備える。これにより、スイッチＳＷ１の切換わりに基づいて、右手の親指１２ａが第１指配置部３１に配置されたと判定でき、また、スイッチＳＷ２の切換わりに基づいて、左手の親指１２ａが第１指配置部３１に配置されたと判定することができる。
【００２３】
第２指配置部３２は、親指１２ａ以外の複数の指（例えば、４本の指１２ｂ〜１２ｅ参照）が配置される４つの領域に設けられる４つのスイッチＳＷ３〜ＳＷ６を備えており、各スイッチＳＷ３〜ＳＷ６の切換わりに基づいて、第２指配置部３２の各領域に対する各指１２ｂ〜１２ｅの配置状態を判定することができる。
【００２４】
また、スイッチＳＷ１〜ＳＷ６は、第１指配置部３１及び第２指配置部３２に対する指１２ａ〜１２ｅの配置状態を検知するだけでなく、ネイルデザインを描画する指１２ａ〜１２ｅを選択する選択スイッチとしても機能させることができる。例えば、ネイルデザインの描画を開始する前に、ネイルデザインを描画したい指１２ａ〜１２ｅを選択する時間帯を設け、この時間帯に切換えられたスイッチＳＷ１〜ＳＷ６に対応する指１２ａ〜１２ｅだけにネイルデザインを描画するように描画装置１０の制御を行う。
【００２５】
（第１押え部及び第２押え部）
図４及び図５に示すように、ケース本体２０の内部には、グリップ部３０を握った手の親指１２ａの爪１１側の親指１２ａの爪１１以外の部分（例えば、ＤＩＰ関節１２ｆ又はＤＩＰ関節１２ｆ近傍（図３参照））を押える第１押え部４０と、グリップ部３０を握った手の親指１２ａ以外の複数の指（４本の指１２ｂ〜１２ｅ）の各々の爪１１側の各々の爪１１以外の部分（例えば、ＤＩＰ関節１２ｇ〜１２ｊ又はＤＩＰ関節１２ｇ〜１２ｊ近傍（図３参照））を押える第２押え部５０と、を備える。
【００２６】
ＤＩＰ関節１２ｆ〜１２ｊは、指１２ａ〜１２ｅの関節のうち、もっとも指１２ａ〜１２ｅの先端側に位置する関節であり、グリップ部３０を手で握ったとき、グリップ部３０の手前側端部上に親指１２ａのＤＩＰ関節１２ｆが位置し、グリップ部３０の奥側端部上に親指１２ａ以外の４本の指１２ｂ〜１２ｅのＤＩＰ関節１２ｇ〜１２ｊが位置する。
【００２７】
本実施形態の第１押え部４０及び第２押え部５０は、正面視四角形状の板枠部材４１、５１と、板枠部材４１、５１を上下方向に変位させるステッピングモータ４２、５２とを備える。板枠部材４１、５１は、グリップ部３０の手前側と奥側に並列状に配置されており、グリップ部３０よりも下側に位置する部分は手挿入部２３に挿入される手の通過を許容する。
【００２８】
ステッピングモータ４２、５２は、上昇した開放位置と、下降した押え位置とに板枠部材４１、５１を変位させる。図４に示すように、板枠部材４１、５１は、開放位置のとき、上端の押え領域４１ａ、５１ａが正面視でグリップ部３０の上面から上方に離間することにより、第１指配置部３１及び第２指配置部３２に対する指１２ａ〜１２ｅの配置を許容する。
【００２９】
図５に示すように、板枠部材４１、５１は、第１指配置部３１及び第２指配置部３２に対する指１２ａ〜１２ｅの配置が完了した後、ステッピングモータ４２、５２によって押え位置まで下降される。このとき、板枠部材４１の押え領域４１ａがグリップ部３０を握った手の親指１２ａのＤＩＰ関節１２ｆを上方から押え、板枠部材５１の押え領域５１ａがグリップ部３０を握った手の親指１２ａ以外の４本の指１２ｂ〜１２ｅのＤＩＰ関節１２ｇ〜１２ｊを上方から押える。なお、４本の指１２ｂ〜１２ｅのＤＩＰ関節１２ｇ〜１２ｊは、必ずしも直線状に並ぶとは限らないため、板枠部材５１の押え領域５１ａは４本の指１２ｂ〜１２ｅのすべてのＤＩＰ関節１２ｇ〜１２ｊを押えているとは限らず、指によっては、板枠部材５１の押え領域５１ａはＤＩＰ関節から少しズレたＤＩＰ関節近傍の位置を押えている場合がある。また、指の置き方によっては、板枠部材４１の押え領域４１ａ及び板枠部材５１の押え領域５１ａがＤＩＰ関節を押えておらず、ＤＩＰ関節近傍を押えている場合もある。しかしながら、ＤＩＰ関節近傍であれば実質的にＤＩＰ関節を押えるのと同様の状態となるので問題は無い。
【００３０】
このような第１押え部４０及び第２押え部５０によれば、ネイルデザインを描画する際に指１２ａ〜１２ｅの動きを抑制できるとともに、爪１１に対するＤＩＰ関節１２ｆ〜１２ｊの高さを抑制し、ネイルデザインの描画に際してＤＩＰ関節１２ｇ〜１２ｊが邪魔になることを防止できる。
【００３１】
ＤＩＰ関節１２ｆ〜１２ｊは、適正な押圧力で押えることが好ましい。本実施形態の描画装置１０は、第１押え部４０によるＤＩＰ関節１２ｆの押圧力を検知する第１圧力センサＳ１、Ｓ２（図４（ａ）参照）と、第２押え部５０によるＤＩＰ関節１２ｇ〜１２ｊの押圧力を検知する第２圧力センサＳ３〜Ｓ６（図４（ａ）及び（ｂ）参照）とを備えており、圧力センサＳ１〜Ｓ６の検知圧力が所定の閾値に達した段階でステッピングモータ４２、５２による板枠部材４１、５１の下降動作を停止させる。
【００３２】
本実施形態の圧力センサＳ１〜Ｓ６は、板枠部材４１、５１におけるＤＩＰ関節１２ｆ〜１２ｊとの接触位置に設けられているが、グリップ部３０側に設けてもよい。例えば、前述したスイッチＳＷ１〜ＳＷ６と同等の位置に圧力センサを設けることができる。また、スイッチＳＷ１〜ＳＷ６に代えて圧力センサを設け、圧力センサで各配置領域に対する指１２ａ〜１２ｅの配置を検知するようにしてもよい。
【００３３】
また、指１２ａ〜１２ｅが第１押え部４０や第２押え部５０から受ける押え力を軽減するために、第１指配置部３１及び第２指配置部３２は、配置される各指１２ａ〜１２ｅを弾性的に支持するクッション３３（図２参照）を備えることが好ましい。このようにすると、第１押え部４０や第２押え部５０から受ける押え力が軽減され、描画中における指１２ａ〜１２ｅの快適性が向上する。
【００３４】
（実施形態の動作）
次に、描画装置１０の動作について説明する。
【００３５】
描画装置１０は、電源が投入されると、所定の初期動作を行った後、スタンバイ状態となる。この状態で描画を行う手を手のひらが上方を向く状態で手挿入部２３に挿入するとともに、図３に示すように、手挿入部２３内に配置されるグリップ部３０を下方から握る。このとき、親指１２ａが第１指配置部３１のガイドリブ３１ａによって配置領域が規制され、親指１２ａ以外の４本の指１２ｂ〜１２ｅが第２指配置部３２のガイドリブ３２ａによって配置領域が規制される。これにより、５本の指１２ａ〜１２ｅの爪１１がすべて上方を向き、かつ親指１２ａの爪１１が親指１２ａ以外の４本の指１２ｂ〜１２ｅの爪１１の近くに配置される。
【００３６】
また、第１指配置部３１及び第２指配置部３２に指１２ａ〜１２ｅを配置すると、スイッチＳＷ１〜ＳＷ６による指１２ａ〜１２ｅの検知に基づいて、すべての指１２ａ〜１２ｅの配置が完了したか、左右いずれの手が挿入されているか、等の判定が行われる。
【００３７】
第１指配置部３１及び第２指配置部３２に対する指１２ａ〜１２ｅの配置が完了したら、第１押え部４０及び第２押え部５０のステッピングモータ４２、５２を駆動し、第１押え部４０及び第２押え部５０の板枠部材４１、５１を下降させる。これにより、図５に示すように、グリップ部３０を握った手の親指１２ａのＤＩＰ関節１２ｆと、グリップ部３０を握った手の親指１２ａ以外の４本の指１２ｂ〜１２ｅのＤＩＰ関節１２ｇ〜１２ｊが上方から押えられる。なお、ステッピングモータ４２、５２の駆動は、圧力センサＳ１〜Ｓ６の検知圧力に基づいて停止される。
【００３８】
次に、グリップ部３０を握った手の指１２ａ〜１２ｅの爪１１にネイルデザインを描画する。描画が終了したら、第１押え部４０及び第２押え部５０のステッピングモータ４２、５２を駆動し、第１押え部４０及び第２押え部５０の板枠部材４１、５１を上昇させる。これにより、指１２ａ〜１２ｅへの押圧が解除され、手挿入部２３から手を引き抜くことが可能になる。手挿入部２３から手を引き抜くと、描画装置１０は、スタンバイ状態になり、この状態で他方の手が手挿入部２３に挿入された場合は、上記の動作を繰り返し、それ以外の場合は、動作を終了する。
【００３９】
（実施形態の効果）
以上、説明した実施形態の描画装置１０によれば、手挿入部２３内に配置され、手の５本の指１２ａ〜１２ｅの爪１１を同じ向きに向けるために手で握るグリップ部３０を備えるので、手の５本の指１２ａ〜１２ｅの爪１１を同じ向きに向けることができるだけでなく、グリップ部３０を握ることで親指１２ａの爪１１が他の指１２ｂ〜１２ｅの爪１１の近くに配置されることになり、その結果、１つの描画部２６で同時に片手５本の指１２ａ〜１２ｅの爪１１にネイルデザインを描画することが可能になる。
【００４０】
また、描画装置１０は、手の親指１２ａの爪１１以外の部分（例えば、ＤＩＰ関節１２ｆ）を押える第１押え部４０と、手の親指１２ａ以外の複数の指（例えば、４本の指１２ｂ〜１２ｅ）の爪１１以外の部分（例えば、ＤＩＰ関節１２ｇ〜１２ｊ）を押える第２押え部５０と、を備えるので、ネイルデザインを描画する際に指１２ａ〜１２ｅの動きを抑制できるだけでなく、爪１１に対するＤＩＰ関節１２ｆ〜１２ｊの高さを抑制し、ネイルデザインの描画に際してＤＩＰ関節１２ｆ〜１２ｊが邪魔になることを防止できる。
【００４１】
また、グリップ部３０は、手挿入部２３の挿入口２３ａ側に位置し、グリップ部３０の一方側に設けられる親指１２ａを配置する第１指配置部３１と、手挿入部２３の挿入口２３ａの奥側に位置し、グリップ部３０の一方側に設けられる親指１２ａ以外の複数の指（例えば、４本の指１２ｂ〜１２ｅ）を配置する第２指配置部３２と、を備えるので、グリップ部３０を握ることで、片手５本の指１２ａ〜１２ｅの爪１１を無理なく上方に向けることができる。
【００４２】
また、第１指配置部３１は、右手の親指１２ａと左手の親指１２ａに対応して親指１２ａを配置する部分が上面視でクロスする親指ガイド構造を有するので、１つのグリップ部３０で左右の手に対応することができる。
【００４３】
また、第２指配置部３２は、それぞれの指１２ｂ〜１２ｅの間を仕切る仕切り部３２ｂと指１２ｂ〜１２ｅの先端を規制する先端位置規制部３２ｃとを備えるので、親指１２ａ以外の複数の指（例えば、４本の指１２ｂ〜１２ｅ）の爪１１を１列に揃えることができるだけでなく、親指１２ａ以外の複数の指（指１２ｂ〜１２ｅ）の間に適度な間隔を確保し、ネイルデザインの描画に際して隣接する親指１２ａ以外の複数の指（指１２ｂ〜１２ｅ）が邪魔になることも防止できる。
【００４４】
また、第１指配置部３１は、右手の親指１２ａが配置される位置と、左手の親指１２ａが配置される位置とに設けられるスイッチＳＷ１、ＳＷ２を備えるので、スイッチＳＷ１、ＳＷ２による親指１２ａの検知に基づいて、左右いずれの手が挿入されたかを容易に判定することができる。
【００４５】
また、第２指配置部３２は、親指１２ａ以外の複数の指（４本のそれぞれの指１２ｂ〜１２ｅ）が配置される位置に設けられるスイッチＳＷ３〜ＳＷ６を備えるので、各スイッチＳＷ３〜ＳＷ６による親指１２ａ以外の複数の指（指１２ｂ〜１２ｅ）の検知に基づいて、第２指配置部３２に対する親指１２ａ以外の複数の指（指１２ｂ〜１２ｅ）の配置状態を容易に判定することができる。
【００４６】
また、第１指配置部３１及び第２指配置部３２に設けられるスイッチＳＷ１〜ＳＷ６は、爪１１にネイルデザインを施す指１２ａ〜１２ｅを選択する選択スイッチとしても使用することができる。
【００４７】
また、第１指配置部３１と第２指配置部３２は、一体的に固定されているので、第１指配置部３１と第２指配置部３２を相対的に変位可能とする場合に比べ、構造を簡略にしてコストダウンが図れる。
【００４８】
また、第１指配置部３１及び第２指配置部３２は、配置される各指１２ａ〜１２ｅを弾性的に支持するクッション３３を備えるので、指１２ａ〜１２ｅが第１押え部４０や第２押え部５０から受ける押え力を軽減し、描画中における指１２ａ〜１２ｅの快適性を向上させることができる。
【００４９】
また、描画装置１０は、第１押え部４０による親指１２ａの爪１１以外の部分（例えば、ＤＩＰ関節１２ｆ）の押圧力を検知する第１圧力センサＳ１、Ｓ２と、第２押え部５０による親指１２ａ以外の複数の指（例えば、４本の指１２ｂ〜１２ｅ）の爪１１以外の部分（例えば、ＤＩＰ関節１２ｇ〜１２ｊ）の押圧力を検知する第２圧力センサＳ３〜Ｓ６と、を備えるので、例えば、ＤＩＰ関節１２ｆ〜１２ｊを適正な押圧力で押えることができる。
【００５０】
（変形例）
次に、グリップ部の変形例を図６及び図７に基づいて説明する。ただし、前記実施形態と共通する構成要素については、前記実施形態と同じ符号を用いることにより、前記実施形態の説明を援用する。
【００５１】
図６に示すように、変形例１に係るグリップ部３０Ｂは、第１指配置部３１Ｂと第２指配置部３２Ｂとの間がスライド可能である点が前記実施形態と主に相違している。このようなグリップ部３０Ｂによれば、第１指配置部３１Ｂと第２指配置部３２Ｂとの相対的なスライド変位に基づいて、手の大きさや形の違いに対する適応性を高めることができる。
【００５２】
なお、このように第１指配置部３１Ｂと第２指配置部３２Ｂとの間がスライド可能である場合、第１押え部４０及び第２押え部５０との相対的な位置関係が変わるため、第１押え部４０及び第２押え部５０に設けられた圧力センサＳ１〜Ｓ６（図４参照）が指１２ａ〜１２ｅ上に位置しなくなり、指１２ａ〜１２ｅに対する第１押え部４０及び第２押え部５０の押圧力が検知できないときがある。
【００５３】
このため、図６に示す変形例１の場合には、第１指配置部３１Ｂ及び第２指配置部３２Ｂの指１２ａ〜１２ｅが配置される位置に、上記実施形態で設けられていた第１押え部４０及び第２押え部５０の圧力センサＳ１〜Ｓ６（図４参照）を設けるようにする。
【００５４】
図７に示す変形例２に係るグリップ部３０Ｃは、第１指配置部３１Ｃが固定されている一方、第２指配置部３２Ｃは、各指１２ｂ〜１２ｅに対応して個別に設けられており、それら第２指配置部３２Ｃが指１２ｂ〜１２ｅの並ぶ方向に個別にスライド可能としている。つまり、第２指配置部３２Ｃが個別に設けられ、それら第２指配置部３２Ｃが個別にスライド可能とされている点が前記実施形態と相違している。そして、それぞれの第２指配置部３２Ｃには、その第２指配置部３２Ｃに配置される指１２ｂ〜１２ｅに対応して、仕切り部３２ｂ及び先端位置規制部３２ｃが一体の状態で設けられている。このような第２指配置部３２Ｃを有するグリップ部３０Ｃによれば、第２指配置部３２Ｃが個別にスライドすることにより、手の大きさや形の違いに対する適応性を更に高めることができる。
【００５５】
変形例２では、図７（ａ）のＡ−Ａ線断面図である図７（ｂ）を見るとわかるように、第２指配置部３２Ｃをレール部材３４でスライド自在に支持するとともに、第２指配置部３２Ｃの位置が決まったところで、第２指配置部３２Ｃの下方から押し上げて、第２指配置部３２Ｃをレール部材３４との間で挟持するブレーキ部３５を設ける構成として、それぞれの第２指配置部３２Ｃをスライド可能とした場合を示しているが、具体的な構成はこれに限定されるものではない。
【００５６】
この変形例２では、第１指配置部３１Ｃは固定であるので、図４に示した第１押え部４０の圧力センサＳ１、Ｓ２は、そのままでも問題ないが、変形例１で説明したのと同様の理由から、第２指配置部３２Ｃに関しては、スライド可能であるため、圧力センサＳ３〜Ｓ６（図４参照）と指１２ｂ〜１２ｅの位置が合わなくなる場合がある。このため変形例２の場合も圧力センサＳ３〜Ｓ６は、第２指配置部３２Ｃの指１２ｂ〜１２ｅを配置する位置に設けるようにする。
【００５７】
以上、本発明の好ましい実施形態について詳述したが、本発明は上述した実施形態に限定されるものではなく、特許請求の範囲に記載された本発明の要旨の範囲内において、種々の変形、変更が可能である。
【００５８】
以下に、この出願の願書に最初に添付した特許請求の範囲に記載した発明を付記する。付記に記載した請求項の項番は、この出願の願書に最初に添付した特許請求の範囲の通りである。
＜付記＞
＜請求項１＞
描画対象をなす複数の爪を同じ向きに向けるために手で握るグリップ部と、
前記手の親指の爪側の前記親指の爪以外の部分を押える第１押え部と、
前記手の前記親指以外の複数の指の各々の爪側の前記各々の爪以外の部分を押える第２押え部と、
を備えることを特徴とする描画装置。
＜請求項２＞
前記第１押え部は、前記手の親指のＤＩＰ関節を押え、
前記第２押え部は、前記手の前記親指以外の複数の指のＤＩＰ関節を押える、ことを特徴とする請求項１に記載の描画装置。
＜請求項３＞
手を挿入する手挿入部を備え、
前記手挿入部内に配置された前記グリップ部は、
前記手挿入部の挿入口側に位置し、前記グリップ部の一方側に設けられる前記親指を配置する第１指配置部と、
前記手挿入部の前記挿入口の奥側に位置し、前記グリップ部の前記一方側に設けられる前記親指以外の前記複数の指を配置する第２指配置部と、を備え、
前記第１指配置部は、右手の親指と左手の親指に対応して前記親指を配置する部分が上面視でクロスする親指ガイド構造を有し、
前記第２指配置部は、それぞれの前記指の間を仕切る仕切り部と指の先端を規制する先端位置規制部とを備えることを特徴とする請求項１又は請求項２に記載の描画装置。
＜請求項４＞
前記第１指配置部には、前記右手の前記親指が配置される位置と、前記左手の前記親指が配置される位置とに設けられるスイッチを備え、
前記第２指配置部は、前記親指以外の前記複数の指がそれぞれ配置される位置に設けられるスイッチを備えることを特徴とする請求項３に記載の描画装置。
＜請求項５＞
前記指で前記スイッチが押圧されることで、前記指が配置されていることを検知することを特徴とする請求項４に記載の描画装置。
＜請求項６＞
前記指で前記スイッチを押圧することで、前記爪にデザインを施す前記指が選択されることを特徴とする請求項４に記載の描画装置。
＜請求項７＞
前記第１指配置部と前記第２指配置部が固定であることを特徴とする請求項３から請求項６のいずれか１項に記載の描画装置。
＜請求項８＞
前記第１指配置部と前記第２指配置部との間がスライド可能であることを特徴とする請求項３から請求項６のいずれか１項に記載の描画装置。
＜請求項９＞
前記第２指配置部は、各前記指に対応して前記指の間を仕切る前記仕切り部と前記指の先端を規制する前記先端位置規制部が設けられており、
前記第２指配置部は、各前記指に対応する前記仕切り部及び前記先端位置規制部が一体の状態で、それぞれ前記指の並ぶ方向に個別にスライド可能であり、
前記第１指配置部は固定されていることを特徴とする請求項３から請求項６のいずれか１項に記載の描画装置。
＜請求項１０＞
前記第１指配置部及び前記第２指配置部は、配置される各前記指を弾性的に支持するクッションを備えることを特徴とする請求項３から請求項９のいずれか１項に記載の描画装置。
＜請求項１１＞
前記第１押え部による押圧力を検知する第１圧力センサと、
前記第２押え部による押圧力を検知する第２圧力センサと、を備えることを特徴とする請求項１から請求項１０のいずれか１項に記載の描画装置。
【符号の説明】
【００５９】
１０  描画装置
１１  爪
１２ａ  親指
１２ｂ〜１２ｅ  親指以外の指
１２ｆ  親指のＤＩＰ関節
１２ｇ〜１２ｊ  親指以外の指のＤＩＰ関節
２３  手挿入部
２３ａ  挿入口
３０、３０Ｂ、３０Ｃ  グリップ部
３１、３１Ｂ、３１Ｃ  第１指配置部
３１ａ  ガイドリブ
３２、３２Ｂ、３２Ｃ  第２指配置部
３２ａ  ガイドリブ
３２ｂ  仕切り部
３２ｃ  先端位置規制部
３３  クッション
４０  第１押え部
５０  第２押え部
ＳＷ１〜ＳＷ６  スイッチ
Ｓ１〜Ｓ６  圧力センサ
【図１】
2017113339.tif 000003
【図２】
2017113339.tif 000004
【図３】
2017113339.tif 000005
【図４】
2017113339.tif 000006
【図５】
2017113339.tif 000007
【図６】
2017113339.tif 000008
【図７】
2017113339.tif 000009